(57)【要約】　　　（修正有）【課題】被加熱体の必要とする加熱力の強弱に応じて、被加熱体と加熱体となるバーナー等の吹き出し口との間隔を加熱力の強弱を設定する手段と連動して調整することを可能とすることにより、熱効率の良好なガスコンロを提供する。【解決手段】被加熱体を支持する五徳、該被加熱体を加熱する加熱体、該五徳の下方部に形成された五徳の高さ調整機構及び火力調整装置とより構成され、該火力調整装置と五徳の高さ調整機構とを連動させることにより加熱体と被加熱体との間隔を調整してなることを特徴とするガスコンロ。【選択図】図１
2004138342.tif 000002
【特許請求の範囲】
【請求項１】
被加熱体を支持する五徳、該被加熱体を加熱する加熱体、該五徳の下方部に形成された五徳の高さ調整機構及び火力調整装置とより構成され、該火力調整装置と五徳の高さ調整機構とを連動させることにより加熱体と被加熱体との間隔を調整してなることを特徴とするガスコンロ。
【請求項２】
火力調整装置となる火力調節手段による調節位置をセンサーにより検知して出力とし、当該出力を高さ調整機構の駆動手段へ伝達し、該出力の増減に応じて五徳の支持台を構成している傾斜面に沿って配設したスライダーを移動させることにより該五徳を昇降させてなることを特徴とする請求項１に記載のガスコンロ。
【請求項３】
火力調整装置となる火力調節手段による調節位置をセンサーにより検知して出力とし、当該出力を高さ調整機構のモータへ伝達し、該出力の増減に応じてモータ軸のピニオンの回転を制御し、該ピニオンは五徳の支持台に当接或いは固定されたラックと噛合され、その回転により該ラックを上下に移動し、その上下動に応じて五徳を昇降してなることを特徴とする請求項１に記載のガスコンロ。
【請求項４】
火力調整装置となる火力調節手段による調節位置をセンサーにより検知して出力とし、当該出力を高さ調整機構のモータへ伝達し、該出力の増減に応じてモータ軸に連動するカムの回転を制御し、該カムは五徳の支持台に当接され、その回転により支持台を上下に移動し、その上下動に応じて五徳を昇降してなることを特徴とする請求項１に記載のガスコンロ。
【請求項５】
火力調整装置として火力調節つまみを構成し、高さ調整機構として五徳の支持台に当接或いは固定されたラック及び該ラックと噛合されたピニオンを構成し、該火力調節つまみの作動によりピニオンが回動してラック及び支持台を上下に移動し、その上下動に応じて五徳を昇降してなることを特徴とする請求項１に記載のガスコンロ。
【請求項６】
被加熱体を支持する五徳、該被加熱体を加熱する加熱体、該五徳の側壁部に形成された五徳の高さ調整機構とより構成され、該高さ調整機構は外壁側壁部、内壁側壁部及び該内・外側壁部に形成された昇降手段で構成され、該昇降手段の上下動により五徳を昇降してなることを特徴とするガスコンロ。
【請求項７】
被加熱体を支持する五徳、該被加熱体を加熱する加熱体、該加熱体の下方部に形成された加熱体の高さ調整機構及び火力調整装置とより構成され、該火力調整装置と加熱体の高さ調整機構とを連動させることにより加熱体と被加熱体との間隔を調整してなることを特徴とするガスコンロ。
【請求項８】
火力調整装置となる火力調節手段による調節位置をセンサーにより検知して出力とし、当該出力を高さ調整機構の駆動手段へ伝達し、該出力の増減に応じて加熱体の支持台を構成している傾斜面に沿って配設したスライダーを移動させることにより該加熱体を昇降させてなることを特徴とする請求項７に記載のガスコンロ。
【請求項９】
火力調整装置となる火力調節手段による調節位置をセンサーにより検知して出力とし、当該出力を高さ調整機構のモータへ伝達し、該出力の増減に応じてモータ軸のピニオンの回転を制御し、該ピニオンは加熱体の支持台に当接或いは固定されたラックと噛合され、その回転により該ラックを上下に移動し、その上下動に応じて加熱体を昇降してなることを特徴とする請求項７に記載のガスコンロ。
【請求項１０】
火力調整装置となる火力調節手段による調節位置をセンサーにより検知して出力とし、当該出力を高さ調整機構のモータへ伝達し、該出力の増減に応じてモータ軸に連動するカムの回転を制御し、該カムは加熱体の支持台に当接され、その回転により支持台を上下に移動し、その上下動に応じて加熱体を昇降してなることを特徴とする請求項７に記載のガスコンロ。
【請求項１１】
火力調整装置として火力調節つまみを構成し、高さ調整機構として加熱体の支持台に当接或いは固定されたラック及び該ラックと噛合されたピニオンを構成し、該火力調節つまみの作動によりピニオンが回動してラック及び支持台を上下に移動し、その上下動に応じて加熱体を昇降してなることを特徴とする請求項７に記載のガスコンロ。
【請求項１２】
被加熱体を支持する五徳、該被加熱体を加熱する加熱体、該加熱体の側壁部に形成された加熱体の高さ調整機構とより構成され、該高さ調整機構は外壁側壁部、内壁側壁部及び該内・外側壁部に形成された昇降手段で構成され、該昇降手段の上下動により加熱体を昇降してなることを特徴とするガスコンロ。
【発明の詳細な説明】
【０００１】
【発明の属する技街分野】
本発明は、加熱体からの火力の強弱に応じて、鍋、やかん、フライパン等の被加熱体と加熱体との間隔を調整することにより、該加熱体から得られる熱を被加熱体に効率良く伝えることができるようにしたガスコンロに関する。
【０００２】
【従来の技術】
従来のガスコンロは、加熱体の火力の強弱にかかわらず被加熱体と加熱体となるバーナー等の吹き出し口との間隔は常に一定であった。これは被加熱体を支持する五徳及び加熱体となるバーナー等がガスコンロ台等に固定製造され、被加熱体との位置関係が不変とされているからである。
従って、被加熱体に対する加熱力を弱めるときには、バーナー等の吹き出し口からの火力の勢いを弱め、逆に加熱力を強めたいときには該バーナー等の吹き出し口からの火力の勢いを強めているにすぎなかった。
【０００３】
上記従来のガスコンロは、被加熱体が必要とする加熱力の強弱にかかわらず被加熱体と加熱体となるバーナー等の吹き出し口との間隔Ｈが常に一定のため、該被加熱体と加熱体との位置関係は被加熱体の必要とする熱を得るに際し、エネルギー損失の少ない熱効率の良い最適位置とすることはできなかった。
図６（ａ）に示すように、被加熱体Ｗへの加熱力を強めるときはバーナー等からの火力の勢いを強くし、炎の先端位置が該被加熱体Ｗの底部に位置するような状態で加熱することになる。他方、被加熱体Ｗへの加熱力を弱めたいときには図６（ｂ）に示すように、バーナー等からの火力の勢いを弱めることになるが、被加熱体Ｗの底部と加熱体の吹き出し口との間隔Ｈは常に一定のため、その炎の先端位置は被加熱体Ｗの底部より遠ざかる位置に後退することになり、その後退により被加熱体Ｗに加わる加熱力を弱めていた。
上記状態を避けるためには、上記間隔Ｈを狭めることが考えられるが、その場合は上記加熱力が強のときに外炎が折れ曲がり内炎等により被加熱体を加熱することになり、下記するように熱効率の悪い加熱体となった。
【０００４】
上記加熱体となるバーナー等から吹き出される炎は、内側より外側にかけて炎心、内炎及び外炎の３つの部分より構成され、その外炎は空気と十分に混合して完全燃焼され、燃料の種類によってその温度は異なるとしても当該箇所の温度が最も高くなる箇所である。従って、加熱力の強弱にかかわらず上記外炎の位置に被加熱体の底部が位置するように加熱体の吹き出し口を配設することができれば、加熱体の炎の勢いを弱くしたとしても被加熱体にとって必要となる熱を効率良く得ることが可能となり、それにより、該被加熱体へ必要な加熱力を与えるためのエネルギー損失を最小限とすることができることになる。
【０００５】
【発明が解決しようとする課題】
本発明は、上記被加熱体Ｗの必要とする加熱力の強弱に応じて、該被加熱体Ｗと加熱体となるバーナー等の吹き出し口との間隔Ｈを加熱力の強弱を設定する手段と連動して調整することを可能とすることにより、熱効率の良好なガスコンロを提供するものである。
【０００６】
【課題を解決するための手段】
本発明の請求項１の記載では、被加熱体を支持する五徳、該被加熱体を加熱する加熱体、該五徳の下方部に形成された五徳の高さ調整機構及び火力調整装置とより構成され、該火力調整装置と五徳の高さ調整機構とを連動させることにより加熱体と被加熱体との間隔を調整してなるガスコンロを特徴とする。
【０００７】
また、請求項２の記載では、上記火力調整装置となる火力調節手段による調節位置をセンサーにより検知して出力とし、当該出力を高さ調整機構の駆動手段へ伝達し、該出力の増減に応じて五徳の支持台を構成している傾斜面に沿って配設したスライダーを移動させることにより該五徳を昇降させてなるガスコンロを特徴とする。
【０００８】
更に、請求項３の記載では、上記火力調整装置となる火力調節手段による調節位置をセンサーにより検知して出力とし、当該出力を高さ調整機構のモータへ伝達し、該出力の増減に応じてモータ軸のピニオンの回転を制御し、該ピニオンは五徳の支持台に当接或いは固定されたラックと噛合され、その回転により該ラックを上下に移動し、その上下動に応じて五徳を昇降してなるガスコンロを特徴とする。
【０００９】
また、請求項４の記載では、上記火力調整装置となる火力調節手段による調節位置をセンサーにより検知して出力とし、当該出力を高さ調整機構のモータへ伝達し、該出力の増減に応じてモータ軸に連動するカムの回転を制御し、該カムは五徳の支持台に当接され、その回転により支持台を上下に移動し、その上下動に応じて五徳を昇降してなるガスコンロを特徴とする。
【００１０】
更に、請求項５の記載では、上記火力調整装置として火力調節つまみを構成し、高さ調整機構として五徳の支持台に当接或いは固定されたラック及び該ラックと噛合されたピニオンを構成し、該火力調節つまみの作動によりピニオンが回動してラック及び支持台を上下に移動し、その上下動に応じて五徳を昇降してなるガスコンロを特徴とする。
【００１１】
また、請求項６の記載では、被加熱体を支持する五徳、該被加熱体を加熱する加熱体、該五徳の側壁部に形成された五徳の高さ調整機構とより構成され、該高さ調整機構は外壁側壁部、内壁側壁部及び該内・外側壁部に形成された昇降手段で構成され、該昇降手段の上下動により五徳を昇降してなるガスコンロを特徴とする。上記五徳はガスコンロ台と分離可能に構成することも可能である。
【００１２】
更に、請求項７の記載では、上記被加熱体を支持する五徳、該被加熱体を加熱する加熱体、該加熱体の下方部に形成された加熱体の高さ調整機構及び火力調整装置とより構成され、該火力調整装置と加熱体の高さ調整機構とを連動させることにより加熱体と被加熱体との間隔を調整してなるガスコンロを特徴とする。
【００１３】
また、請求項８の記載では、上記火力調整装置となる火力調節手段による調節位置をセンサーにより検知して出力とし、当該出力を高さ調整機構の駆動手段へ伝達し、該出力の増減に応じて加熱体の支持台を構成している傾斜面に沿って配設したスライダーを移動させることにより該加熱体を昇降させてなるガスコンロを特徴とする。
【００１４】
更に、請求項９の記載では、上記火力調整装置となる火力調節手段による調節位置をセンサーにより検知して出力とし、当該出力を高さ調整機構のモータへ伝達し、該出力の増減に応じてモータ軸のピニオンの回転を制御し、該ピニオンは加熱体の支持台に当接或いは固定されたラックと噛合され、その回転により該ラックを上下に移動し、その上下動に応じて加熱体を昇降してなるガスコンロを特徴とする。
【００１５】
また、請求項１０の記載では、上記火力調整装置となる火力調節手段による調節位置をセンサーにより検知して出力とし、当該出力を高さ調整機構のモータへ伝達し、該出力の増減に応じてモータ軸に連動するカムの回転を制御し、該カムは加熱体の支持台に当接され、その回転により支持台を上下に移動し、その上下動に応じて加熱体を昇降してなるガスコンロを特徴とする。
【００１６】
更に、請求項１１の記載では、上記火力調整装置として火力調節つまみを構成し、高さ調整機構として加熱体の支持台に当接或いは固定されたラック及び該ラックと噛合されたピニオンを構成し、該火力調節つまみの作動によりピニオンが回動してラック及び支持台を上下に移動し、その上下動に応じて加熱体を昇降してなるガスコンロを特徴とする。
【００１７】
また、請求項１２の記載では、被加熱体を支持する五徳、該被加熱体を加熱する加熱体、該加熱体の側壁部に形成された加熱体の高さ調整機構とより構成され、該高さ調整機構は外壁側壁部、内壁側壁部及び該内・外側壁部に形成された昇降手段で構成され、該昇降手段の上下動により加熱体を昇降してなるガスコンロを特徴とする。上記加熱体はガスコンロ台と分離可能に構成することも可能である。
【００１８】
【発明の実施の形態】
【実施例１】
図１は、本発明のガスコンロ及び該ガスコンロに被加熱体を配設した概略を示した側断面図で、ガスコンロ１は、被加熱体Ｗを支持する五徳２、該被加熱体Ｗを加熱するバーナー等の加熱体３、該五徳２の下方部に形成された五徳の高さ調整機構４及び火力調整装置５とより構成されている。
【００１９】
上記五徳２は、被加熱体Ｗの底側の周縁部を支持する支持部６、加熱体３を囲繞するように形成された側壁部７及び底部８とより構成されている。
上記五徳２は、ガスコンロ台とは分離形成しているので、下記する高さ調整機構４により単独で昇降自在とされている。
【００２０】
上記加熱体３は、バーナー等の加熱手段で、該五徳２の中心部に配設され、吹き出し口９より炎を吹き出すことにより被加熱体Ｗを加熱することになる。
本実施例１では、該加熱体３はガスコン台に固定しているのでその炎の吹き出し口９の高さは常に一定である。
【００２１】
上記高さ調整機構４は、五徳２の底部８を支持する位置となる五徳２の下方側に形成され、下面側に傾斜面１０を有する支持台１１、該支持台１１の該傾斜面１０に沿って左右方向に移動するスライダー１２及び該スライダー１２を移動させる駆動手段となるスライドアクチュエーター１３とより構成されている。
【００２２】
上記火力調整装置５は、ガスコンロ台の表面側に可動自在に突出形成された火力調節レバー１４、その背面側に位置する作動杆１５、該作動杆１５と接触する触子１６、該作動杆１５と触子１６との接触状態を検知するセンサー１７及び該センサー１７の出力を増幅するアンプユニット１８とより構成され、該アンプユニット１８からの出力を上記スライドアクチュエーター１３へ伝達することになる。
【００２３】
図１（ａ）は、火力を強の状態としたものである。火力調節レバー１４を右方へ移動して強の位置としたもので、該火力調節レバー１４の移動により該火力調節レバー１４と一体形成されている作動杆１５が同様に右動し、センサー１７の触子１６を右方へ押し込むことによりその出力を強とし、該出力の変化を該アンプユニット１８により増幅し、スライドアクチュエーター１３へ伝え、該スライドアクチュエーター１３上のスライダー１２を左方へ移動させることになる。
該スライダー１２を厚手のある傾斜面１０側となる左方へ移動させることにより五徳２は全体が均一に上昇することになる。
【００２４】
上記火力調節レバー１４の右方への移動により、加熱体３の吹き出し口９と被加熱体Ｗの底部との間隔は広がった状態となる。当該火力調節レバー１４の強の位置では炎が勢い良く吹き出している状態であり、火力の強い状態での被加熱体Ｗへの加熱となり、その外炎は被加熱体Ｗの底部に位置するように加熱されることになり、該被加熱体Ｗにとっては熱効率の良い火力を得ることが可能となる。
【００２５】
図１（ｂ）は、火力が弱の状態を示している。火力調節レバー１４を左方へ移動させることにより作動杆１５が同様に左動し、センサー１７の触子１６を左方へ押し出すことになり、その位置を検知して弱い出力をアンプユニット１８に伝え、該アンプユニット１８によりその弱い出力を増幅し、スライドアクチュエーター１３上のスライダー１２を右方へ移動させることになる。
該スライダー１２は右方への移動により傾斜面１０の薄手側へスライドし、それにより五徳２は下降し、加熱体３の吹き出し口９と被加熱体Ｗの底部との間隔は狭まり、火力の弱状態の外炎が該被加熱体Ｗの底部に位置するように加熱されることになる。
【００２６】
上記実施例１において、加熱体への点火及び消火となる起動装置は、上記火力調整装置の弱側への作動時に点・消火させることが可能であり、該火力調整装置が上記起動装置を兼ねることができるし、該点・消火スイッチ等を別途形成することも可能である。
【００２７】
【実施例２】
図２は、本発明のガスコンロ及び該ガスコンロに被加熱体を配設した概略を示した他の実施例の側断面図で、上記実施例１と同様、ガスコンロ２１は、被加熱体Ｗを支持する五徳２２、該被加熱体Ｗを加熱するバーナー等の加熱体２３、該五徳２２の下方部に形成された五徳の高さ調整機構２４及び火力調整装置２５とより構成されている。
【００２８】
上記五徳２２及び加熱体２３の構成は、上記実施例１と同様である。
上記高さ調整機構２４は、五徳２２の底部２８を支持する位置となる五徳２２の下方側に形成され、該底部２８を下面側より支持する支持台２９にラック３０が当接或いは固定され、モータ３１の作動によりモータ３１軸に連動するピニオン３２が回動するように構成されている。該ピニオン３２の回動により該ラック３０は上下に移動することになる。
【００２９】
上記火力調整装置２５となる火力調節レバー３４は、それを左右方向へ移動することにより、作動杆３５と触子３６との接触状態に変化を与え、その変化をセンサー３７により検知し、シーケンサー３８のシーケンス制御により上記モータ３１を作動させ、ピニオン３２の回転によりラック３０を上下動させる。該ラックの上下動に応じて五徳２２が均一に昇降することになる。
【００３０】
図２（ｂ）は、上記ラック３０とピニオン３２との関係を示した側断面図を示している。ピニオン３２外周の歯部にラック３０の側縁部の歯部が噛合し、ピニオン３２の回動によりラック３０が昇降することになる。
図２（ｃ）は、上記ラック３０とピニオン３２の換わりにカム３９と軸４０との関係を示している。モータ３１軸に連動した軸４０の緩やかな回動（歯車の介在等により回転を制御することも可能）によりカム３９が回転し、五徳２２を均一に昇降させることになる。
【００３１】
【実施例３】
図３は、本発明のガスコンロ及び該ガスコンロに被加熱体を配設した概略を示した他の実施例の側断面図で、上記実施例１、２と同様、ガスコンロ４１は、被加熱体Ｗを支持する五徳４２、該被加熱体Ｗを加熱するバーナー等の加熱体４３、該五徳４２の下方部に形成された五徳４２の高さ調整機構４４及び火力調整装置４５とより構成されている。
【００３２】
上記五徳４２及び加熱体４３の構成は、上記実施例１、２と同様である。
上記高さ調整機構４４は、五徳４２の底部４８を支持する位置となる五徳４２の下方側に形成され、該底部４８を下面側より支持する支持台４９にラック５０が当接或いは固定され、上記火力調整装置４５となる火力調節つまみ５１の作動によりピニオン５２が回動する。該ピニオン５２の回動により該ラック５０は上下に移動することになる。
【００３３】
該ラック５０の上下動により支持台４９を昇降させ、該支持台４９上の五徳４２を均一に昇降させ、加熱体４３の吹き出し口５９と被加熱体Ｗの底部との間隔を調整するものである。
【００３４】
【実施例４】
図４（ａ）は、本発明のガスコンロ及び該ガスコンロに被加熱体を配設した概略を示した他の実施例の側面図で、ガスコンロ６１は、被加熱体Ｗを支持する五徳６２、該被加熱体Ｗを加熱するバーナー等の加熱体６３、該五徳６２の側面に形成された五徳の高さ調整機構６４及び高さ調節つまみ６５とより構成されている。
【００３５】
図４（ｂ）に示すように、五徳６２は外側壁部６６と内側壁部６７とより構成され、上記五徳６２の高さ調整機構６４として該外側壁部６６の内側に形成されたラック状の歯部６８或いは内側壁部６７の上部側に形成されたラック状の歯部６８に、高さ調節つまみ６５の内側先端部分に形成されたピニオン６９とが噛合し、該高さ調節つまみ６５を回動させることにより五徳６２を形成する外側壁部６６或いは内側壁部６７のいずれかを上下動させることになる。
上記により、五徳６２の高さＬは加熱体６３への加熱力の強弱に応じて適宜変えることが可能となる。
【００３６】
図４（ｃ）は、五徳６２’の昇降手段の他の実施例を示したもので、上記同様、外側壁部６６’と内側壁部６７’とより構成され、該五徳６２’の高さ調整機構６４’として該外側壁部６６’の内側に形成されたネジ部６８’と内側壁部６７’の外側に形成されたネジ部６８’とが螺合され、該外側壁部６６’より突出形成された高さ調節つまみ６５’を把持して外側壁部６６’を円周方向に沿って回動させることにより五徳６２’を形成する側壁部を上下動させることになり、該五徳６２’の高さＬを変えることが可能となる。
【００３７】
上記実施例４のガスコンロ６１は、五徳６２、６２’の側面に高さ調整機構６４、６４’を構成しているので、該五徳６２、６２’のみで加熱体６３の吹き出し口７０と被加熱体Ｗの底部までの間隔を調整することが可能となる。
上記五徳６２、６２’は、ガスコンロ台に一体として形成（例えば上記内側壁部６７、６７’を固定）することも可能であるし、別体としてガスコンロ台と分離可能に形成することもできる。
上記別体として形成した五徳６２、６２’は、図４（ａ）に示すように、既存のガスコンロ台に形成されている五徳に変えて取り替え使用することもできるし、或いは当該既存の五徳を囲むようにして使用することにより、既存のガスコンロ台にも本発明の高さ調整手段を有する五徳を適用することが可能となる。
【００３８】
【実施例５】
図５（ａ）は、本発明のガスコンロ及び該ガスコンロに被加熱体を配設した概略を示した他の実施例の側断面図で、上記実施例１、２と同様、ガスコンロ７１は、被加熱体Ｗを支持する五徳７２、該被加熱体Ｗを加熱するバーナー等の加熱体７３、該加熱体７３の下方部に形成された該加熱体７３の高さ調整機構７４及び火力調整装置７５とより構成されている。
【００３９】
図５（ａ）における上記高さ調整機構７４は、加熱体７３の底部を支持する支持台７６が下方側に形成され、該支持台７６の下面側に形成した傾斜面７７に沿って左右方向に移動するスライダー７８及び該スライダー７８を移動させる駆動手段となるスライドアクチュエーター７９とより構成されている。
【００４０】
上記火力調整装置７５は、ガスコンロ台の表面側に可動自在に突出形成された火力調節レバー８４、その背面側に位置する作動杆８５、該作動杆８５と接触する触子８６、該作動杆８５と触子８６との接触状態を検知するセンサー８７及び該センサー８７の出力を増幅するアンプユニット８８とより構成され、該アンプユニット８８からの出力を上記スライドアクチュエーター７９へ伝達することになる。
【００４１】
図５（ａ）は、火力を強の状態としたものである。火力調節レバー８４を右方へ移動し強の位置としたもので、該火力調節レバー８４の移動により作動杆８５が同様に右動し、センサー８７の触子８６を右方へ押し込むことによりその出力を強とし、その出力をアンプユニット８８により増幅してスライドアクチュエーター７９へ伝え、該スライドアクチュエーター７９上のスライダー７８を右方へ移動させることになる。
該スライダー７８を傾斜面７７の薄手側となる右方へ移動させることにより加熱体７３は均一に下降することになる。
【００４２】
上記火力調節レバー８４の右方への移動により、加熱体７３の吹き出し口８９と被加熱体Ｗの底部との間隔は広がった状態となる。当該状態では炎は勢い良く吹き出して被加熱体Ｗを加熱しており、火力の強い外炎により被加熱体Ｗが加熱されることになり、該被加熱体Ｗにとって熱効率の良い火力を得ることが可能となる。
【００４３】
他方、火力調節レバー８４を左方へ移動させることにより（図示なし）スライダー７８は左方へ移動し、加熱体７３は上昇することになる。当該上昇時における炎の勢いは図１（ｂ）に示す状態であり、火力が弱いながらも被加熱体Ｗに対して熱効率の良い加熱を与えることになる。
【００４４】
図５（ｂ）は、本発明のガスコンロ及び該ガスコンロに被加熱体を配設した概略を示した他の実施例の側断面図で、上記実施例３と同様、ガスコンロ９１は、被加熱体Ｗを支持する五徳９２、該被加熱体Ｗを加熱するバーナー等の加熱体９３、該加熱体９３の下方部に形成された該加熱体９３の高さ調整機構９４及び火力調整装置となる火力調節つまみ９８とより構成されている。
【００４５】
図５（ｂ）における上記高さ調整機構９４は、加熱体９３の底部を支持する支持台９６が下方側に形成され、該支持台９６にラック９７が当接或いは固定され、火力調節つまみ９８の作動によりピニオン９９が回動する。該ピニオン９９の回動により該ラック９７は上下に移動することになる。
【００４６】
該ラック９７の上下動により支持台９６を昇降させ、該支持台９６上の加熱体９３を均一に昇降させ該加熱体９３の吹き出し口１００と被加熱体Ｗの底部との間隔を調整するものである。
【００４７】
【実施例６】
上記実施例２に示した火力調節レバーの移動による五徳の高さ調整機構としてのピニオンとラックの機構及び軸とカムによる機構等及び実施例４の五徳の側壁の高さ調整機構等を上記実施例５の加熱体の昇降手段として採用することが可能であることは言うまでもない。
また、上記各実施例では加熱体をガスに特定して説明したが、該加熱体に使用される燃料はガスに限定されるものではなく、他の様々な燃料も想定される。それら異なる燃料においても本発明の思想は同一である。
【００４８】
【発明の効果】
本発明の請求項１及び７の発明は、鍋、やかん、フライパン等の被加熱体を支持する五徳或いは加熱体の高さを変えることにより、該被加熱体と加熱体の吹き出し口との間隔を火力の勢いによって変えることが可能となり、加熱力の強弱にかかわらず常に火力の強い外炎の位置に被加熱体の底部を配設することができるので、熱効率の良いガスコンロを得ることが可能となった。
【００４９】
また、請求項２及び８の発明では、火力調整装置により傾斜面を有する支持台下のスライダーを移動させ、五徳或いは加熱体を昇降させることができるので、簡単な機構により五徳或いは加熱体の昇降を確実且つ均一に行うことが可能となった。
【００５０】
更に、請求項３、４及び９、１０の発明では、火力調整装置によりモータが作動し、該モータの軸回転により該軸と連動するピニオンによりラックを連動させて支持台を上下させ、或いは該軸とカムとにより支持台を上下させることにより五徳又は加熱体を昇降させることができ、上記同様、簡単な機構により五徳或いは加熱体の昇降を確実且つ均一に行うことが可能となった。
【００５１】
また、請求項５及び１１の発明では、火力調整装置としての火力調節つまみの作動によりピニオンが回動し、該ピニオンと支持台下のラックとの噛合位置を変化させ、電気的手段を使用することなく直接五徳或いは加熱体を昇降させることができ、上記同様、簡単な機構により五徳或いは加熱体の昇降を確実且つ均一に行うことができ、更に維持及びメンテナンスに経費がかからず有効なガスコンロを得ることが可能となった。
【００５２】
更に、請求項６及び１２の発明では、高さ調整機構を直接五徳或いは加熱体の側壁に形成することにより五徳或いは加熱体を上下動させることができ、上記同様、簡単な機構により五徳或いは加熱体の昇降を確実且つ均一に行うことができ、更に維持及びメンテナンスに経費がかからず有効なガスコンロを得ることが可能となった。
また、ガスコンロ台と分離可能とした五徳或いは加熱体にあっては、既存のガスコンロの五徳或いは加熱体と交換すること、また、該既存の五徳或いは加熱体の周囲を覆うようにして配設することにより、既存のガスコンロにおいても五徳或いは加熱体の高さ調節可能なガスコンロを得ることが可能となった。
【図面の簡単な説明】
【図１】（ａ）本発明のガスコンロの五徳を上昇させた状態の概略側断面図。
（ｂ）本発明のガスコンロの五徳を下降させた状態の概略側断面図。
【図２】（ａ）本発明のガスコンロにおける五徳の昇降機構の他の実施例の概略側断面図。
（ｂ）五徳の昇降機構の一実施例の側断面図。
（ｃ）五徳の昇降機構の他の実施例の側断面図。
【図３】本発明のガスコンロにおける五徳の昇降機構の他の実施例の概略側断面図。
【図４】（ａ）本発明のガスコンロにおける五徳の昇降機構の他の実施例の概略斜視図。
（ｂ）五徳の昇降機構の一実施例の斜視断面図。
（ｃ）五徳の昇降機構の一実施例の側断面図。
【図５】（ａ）本発明のガスコンロの加熱体を下降させた状態の概略側断面図。
（ｂ）本発明のガスコンロの加熱体を下降させた他の実施例の概略側断面図。
【図６】（ａ）従来のガスコンロにおける加熱体と被加熱体の位置関係を示す概略斜視図。
（ｂ）従来のガスコンロにおける加熱体と被加熱体の位置関係を示す概略斜視図。
【符号の説明】
１、２１、４１、６１、７１、９１・・ガスコンロ
２、２２、４２、６２、６２’７２、９２・・五徳
３、２３、４３、７３、９３・・加熱体
４、２４、４４、６４、７４、９４・・高さ調整機構
５、２５、４５、７５・・火力調整装置
６・・支持部
７・・側壁部
８、２８、４８・・底部
９、５９、７０、８９、１００・・吹き出し口
１０、７７・・傾斜面
１１、２９、４９、７６、９６・・支持台
１２、７８・・スライダー
１３、７９・・スライドアクチュエーター
１４、３４、８４・・火力調節レバー
１５、３５、８５・・作動杆
１６、３６、８６・・触子
１７、３７、８７・・センサー
１８、８８・・アンプユニット
３０、５０、９７・・ラック
３１・・モータ
３２、５２、６９、９９・・ピニオン
３８・・シーケンサー
３９・・カム
４０・・軸
５１、９８・・火力調節つまみ
６５、６５’・・高さ調節つまみ
６６、６６’・・外側壁部
６７、６７’・・内側壁部
６８・・歯部
６８’・・ネジ部
【図１】
2004138342.tif 000003
【図２】
2004138342.tif 000004
【図３】
2004138342.tif 000005
【図４】
2004138342.tif 000006
【図５】
2004138342.tif 000007
【図６】
2004138342.tif 000008
【手続補正書】
【提出日】平成14年12月16日(2002.12.16)
【手続補正１】
【補正対象書類名】図面
【補正対象項目名】図１
【補正方法】変更
【補正の内容】
【図１】
2004138342.tif 000009
【手続補正２】
【補正対象書類名】図面
【補正対象項目名】図２
【補正方法】変更
【補正の内容】
【図２】
2004138342.tif 000010
【手続補正３】
【補正対象書類名】図面
【補正対象項目名】図３
【補正方法】変更
【補正の内容】
【図３】
2004138342.tif 000011
【手続補正４】
【補正対象書類名】図面
【補正対象項目名】図４
【補正方法】変更
【補正の内容】
【図４】
2004138342.tif 000012
【手続補正５】
【補正対象書類名】図面
【補正対象項目名】図５
【補正方法】変更
【補正の内容】
【図５】
2004138342.tif 000013
【手続補正６】
【補正対象書類名】図面
【補正対象項目名】図６
【補正方法】変更
【補正の内容】
【図６】
2004138342.tif 000014